(57)【要約】      （修正有）【課題】軽く、しかも、ボリューム感・触感に優れ、パイルが抜け落ちにくいタオルハンカチを提供する。【解決手段】タオルハンカチは、両外面にそれぞれ平坦編み部１１ａ−ｂを形成しつつ、その平坦編み部１１ａ−ｂ同士の間に一対のパイル地部１２ａ−ｂを対向して形成するように編製し、一対の平坦編み部１１ａ−ｂ同士を接続しているパイル糸Ｐａ−ｂを切断することによって一対のパイル地部１２ａ−ｂを相互に分離して得られるパイル編物１０ａ−ｂよりなる一辺が１５ｃｍ以上３０ｃｍ以下の正方形のタオルハンカチであり、パイル糸Ｐａ−ｂの切断によって形成された非ループパイル面である第１面と、平坦編み部１１ａ−ｂの起毛によって形成された非ループパイル面である第２面と、周囲に施された縁処理部を有し、平坦編み部１１ａ−ｂを形成する地糸Ｙはポリエステル１００％の長繊維であり、パイル糸Ｐａ−ｂはポリエステルを含む長繊維である。【選択図】図１
0003218019.tif 000002
【実用新案登録請求の範囲】
【請求項１】
両外面にそれぞれ平坦編み部を形成しつつ、その平坦編み部同士の間に一対のパイル地部を対向して形成するように編成し、一対の平坦編み部同士を接続しているパイル糸を切断することによって一対のパイル地部を相互に分離して得られるパイル編物よりなる一辺が１５ｃｍ以上３０ｃｍ以下の正方形のタオルハンカチであり、
パイル糸の切断によって形成された非ループパイル面である第１面と、平坦編み部の起毛によって形成された非ループパイル面である第２面と、周囲に施された縁処理部を有し、平坦編み部を形成する地糸はポリエステル１００％の長繊維であり、パイル糸はポリエステルを含む長繊維であるタオルハンカチ。
【請求項２】
ポリエステルとナイロンよりなる割繊糸をパイル糸として使用しており、クリーニング機能を有する請求項１に記載のタオルハンカチ。
【考案の詳細な説明】
【技術分野】
【０００１】
この考案は、先端がカットされた非ループパイル面を有するタオルハンカチに関する。
【背景技術】
【０００２】
タオル生地はパイル面を有し、吸水性が良く柔らかな触感があるため、ハンカチにも用いられる。タオル織物は、パイル糸によってループ状に形成された先端部が表れた表面を持つもののほか、シャーリングと呼ばれる刈り込み処理を施してループ先端をカットすることにより繊毛状の表面を形成するものも普及している。ここで、織物タオルの両面にシャーリングを施すとパイル糸の脱毛が著しくて実用に耐えないため、シャーリングは片面のみに施される。
【０００３】
特許文献１などには表面の一部にシャーリングを行うことが記載されているが、やはり裏面にはシャーリングは行われていない。
【先行技術文献】
【特許文献】
【０００４】
【特許文献１】特開平１０−１４０４６４号
【考案の概要】
【考案が解決しようとする課題】
【０００５】
上述の通り、タオル織物ではシャーリングは片面のみに施される。したがって、両面が非ループパイル面であるタオルハンカチを実現できない。特許文献１に記載の立毛繊維製品も、ハンドカットなどにより一部にシャーリングを施して意匠性を求めるものである。
【０００６】
さらに、従来の非ループパイルのタオル製品において、柔らかく長いパイルを形成することには限界があった。従来のタオルハンカチでは、単位面積の重量は３６０〜４００ｇ／ｍ2であり、しかも、その厚さは限られている。無理に厚い生地を得ようとすると、さらに重量が増えてしまう。したがって、柔らかさ・触感の良さ・吸収性にも限界がある。
【０００７】
この考案は、軽く、しかも、ボリューム感・触感に優れ、パイルが抜け落ちにくいタオルハンカチを提供することを目的とする。
【課題を解決するための手段】
【０００８】
上述の課題を解決するため、この考案のタオルハンカチは、両外面にそれぞれ平坦編み部を形成しつつ、その平坦編み部同士の間に一対のパイル地部を対向して形成するように編成し、一対の平坦編み部同士を接続しているパイル糸を切断することによって一対のパイル地部を相互に分離して得られるパイル編物よりなる一辺が１５ｃｍ以上３０ｃｍ以下の正方形のタオルハンカチであり、パイル糸の切断によって形成された非ループパイル面である第１面と、平坦編み部の起毛によって形成された非ループパイル面である第２面と、周囲に施された縁処理部を有し、平坦編み部を形成する地糸はポリエステル１００％の長繊維であり、パイル糸はポリエステルを含む長繊維である。
【０００９】
また、上述の構成に加えて、ポリエステルとナイロンよりなる割繊糸をパイル糸として使用し、クリーニング機能を有するタオルハンカチとすることもできる。
【考案の効果】
【００１０】
この考案のタオルハンカチは、両面に長く柔らかい高密度の非ループパイルを有し、柔軟性・触感に優れ、しかもとても軽い。両面に非ループパイルを有するが、パイルは抜け落ちにくく、高い耐久性を有する。
【図面の簡単な説明】
【００１１】
【図１】パイル編物の編製を示す断面図である。
【図２】パイル編物を示す断面図である。
【図３】タオルハンカチを示す斜視図である。
【考案を実施するための形態】
【００１２】
この考案を実施するための形態について説明する。まず、この考案のパイル編物の製造方法について説明する。図１はパイル編物の編製を示す断面図である。ダブルラッセル編みであり、ダブルラッセル編機によって編製される二重編みであり、毛布などの生地の製造で普及しているものである。
【００１３】
両外面には、それぞれ平坦編み部１１が形成させる。そして、この平坦編み部１１同士の間に、一対のパイル地部１２が形成される。図１は編製直後の編物の断面を示している。ここで、一対のパイル地部１２はまだ相互に接続されている。
【００１４】
両外面の平坦編み部１１では、地糸としてポリエステル１００％の長繊維を使用する。本例では、４０ｄ／３６ｆのポリエステル仮撚糸を使用している。
【００１５】
内側のパイル地部１２においては、パイル糸はポリエステルを含む長繊維で、特に各フィラメントが細いものが使用され、さらにマイクロファイバーと呼ばれるものが適している。例えば、ポリエステル１００％の長繊維であれば、７５ｄ／１４４ｆが適しており、また、ポリエステル８０％ナイロン２０％の７５ｄ／１６ｆの割繊糸が適している。特に、割繊糸を使用することによって特に細いマイクロファイバーが得られ、またファイバー表面が角張っているため、レンズやモニター画面のクリーナーの機能を持たせることができる。
【００１６】
編み方は、ダブルラッセル編みであり、編製直後は図１（ａ）に示すような両外面の平坦編み部と、その間のパイル地部による三層構造が得られる。
【００１７】
次の工程において、カッターにより、パイル地部１２ａ，１２ｂの間においてパイル糸Ｐが切断される。この工程は編製工程を行いながら連続して行ってもよく、編製された編地を一旦巻き取った後に、これを巻き戻して行ってもよい。
【００１８】
これにより、２枚のパイル編物１０ａ，１０ｂとして相互に分離される（図１（ｂ））。パイル糸Ｐはパイル編物１０ａ側のＰａとパイル編物１０ｂ側のＰｂに分離される。そして、この切断されたパイル糸Ｐａ，Ｐｂの先端部がパイル面部から突き出した非ループのパイルとなる。こうして、第１面にパイル糸の切断による非ループパイル面が形成される。本考案によるとパイル長さを大きくすることができ、８ｍｍ程度のパイル長にすることが好ましい。このパイル糸Ｐａ，Ｐｂは平坦編み部に強く接続されており、抜けにくい。
【００１９】
次に、パイル編物１０でパイル糸が表れていない面、すなわち編製時に外側であった面に対して起毛処理を施し、この面にもパイル糸を起毛させる。こうして、第２面には起毛による非ループパイル面が形成される。図２はパイル編物を示す断面図である。
【００２０】
このようにして得られた両面パイルの編物に対して、染色を施してもよい。また、刺繍による装飾を施すこともできる。本考案によれば、柔らかくボリューム感のある編地が得られるので、刺繍により立体感のある美しい装飾が表現される。
【００２１】
そして、この両面パイル編物を正方形に切断し、外周部にバイアス巻き、レース付け、ソロー巻き、オーバーロックなどによる縁処理を行って縁処理部を形成する。こうして、タオルハンカチが得られる。
【００２２】
本考案で使用したダブルラッセル編みはすでに知られている編製技術であるが、毛布のような極めて大型の布製品にしか用いられておらず、ハンカチのような小型の布製身の回り品について使用することが全く考えられなかった。ここでは、一辺が１５ｃｍ以上３０ｃｍ以下の正方形のハンカチに形成する。特に、１５×１５、１６×１６、２０×２０、２３×２３、２５×２５、２８×２８、３０×３０のサイズから選択する。これにより、ハンカチとして使用される寸法は網羅される。
【００２３】
本考案により、極めて軽量なタオルハンカチを得ることができる。従来のタオルハンカチの面積当たりの重量が３６０〜４００ｇ／ｍ2であるのに対して、本考案のタオルハンカチでは２６０〜３３０ｇ／ｍ2とすることができる。
【００２４】
そして、ボリューム感が大きく、従来のタオルハンカチの１．３〜１．６倍程度の厚さを得ることができる。この厚さは顕著なものであり、従来のタオルハンカチの厚さとは全く異なることが一目で感じ取ることができる。表面は柔らかく、フワフワとした触感であり、これも従来のタオルハンカチからは全く感じ取ることができないものである。パイルは抜け落ちにくいので耐久性があり、この触感は長期間維持される。さらに、吸水性にも優れる。
【００２５】
さらに、ポリエステルとナイロンよりなる割繊糸をパイル糸として使用した場合、割繊糸がマイクロフィラメントに分割し、クリーニング機能を得ることができる。クリーナー兼ハンカチとして実施することができ、メガネ拭きや携帯端末の画面クリーナーとしても最適なものとなる。
【符号の説明】
【００２６】
１．タオルハンカチ
２．第１面
３．第２面
４．縁処理部
１０．パイル編物
１１．平坦編み部
１２．パイル地部
Ｙ．地糸
Ｐ．パイル糸
【図１】
0003218019.tif 000003
【図２】
0003218019.tif 000004
【図３】
0003218019.tif 000005